(57)【要約】  【目的】  ３色ＣＣＤ−ＲＡＷデータの画像処理プログラムを用いて行われる画像処理においてできるだけ所望の画像処理を行うようにする。  【構成】  ディジタル・スチル・カメラのＣＣＤには，４色フィルタが形成されており，４色ＣＣＤ−ＲＡＷデータを得ることができる。擬似的な３色ＣＣＤ−ＲＡＷデータをメモリ・カードに記録する場合には（ステップ61でＹＥＳ，62でＮＯ），４色ＣＣＤ−ＲＡＷデータに含まれる第１の緑色成分の分光特性と第２の緑色成分の分光特性とが近づくように補正が行われる（ステップ64）。補正により擬似的な３色ＣＣＤ−ＲＡＷデータが得られる。擬似的な３色ＣＣＤ−ＲＡＷデータについて３色ＣＣＤ−ＲＡＷデータの画像処理プログラムを用いて画像処理が行われる。３色ＣＣＤ−ＲＡＷデータの画像処理プログラムを用いて所望の画像処理を実現できる。  【選択図】  図８
2005354329.tif 000002
【特許請求の範囲】
【請求項１】
赤色成分，青色成分，第１の緑色成分および第２の緑色成分を透過する特性を有する４色のカラー・フィルタが受光面上に形成されている多数の光電変換素子を含み，被写体を撮像することにより赤色成分，青色成分，第２の緑色成分および第２の緑色成分の４色ＲＡＷデータを出力する固体電子撮像装置，
４色ＲＡＷデータ出力または疑似３色ＲＡＷデータ出力を設定する設定手段，
上記設定手段により疑似３色ＲＡＷデータ出力が設定されたことに応じて，上記固体電子撮像装置から出力された４色ＲＡＷデータのうち第１の緑色成分のＲＡＷデータの分光特性と第２の緑色成分のＲＡＷデータの分光特性とが近づくように補正する補正手段，ならびに
上記設定手段により４色ＲＡＷデータ出力が設定されたことに応じて，上記固体電子撮像装置から出力された４色ＲＡＷデータを出力し，上記設定手段により疑似３色ＲＡＷデータが設定されたことに応じて，上記補正手段によって補正された４色ＲＡＷデータを出力する出力装置，
を備えた撮像装置。
【請求項２】
上記補正手段が，上記第１の緑色成分のＲＡＷデータの分光特性と上記第２のＲＡＷデータの分光特性とが一致するように補正するものである，請求項１に記載の撮像装置。
【請求項３】
上記出力装置が，上記設定手段による設定に応じて，３色ＲＡＷデータまたは補正された４色ＲＡＷデータを記録媒体に記録する記録制御手段である，請求項１に記載の撮像装置。
【請求項４】
赤色成分，青色成分，第１の緑色成分および第２の緑色成分を透過する特性を有する４色のカラー・フィルタが受光面上に形成されている多数の光電変換素子を含み，被写体を撮像することにより赤色成分，青色成分，第２の緑色成分および第２の緑色成分の４色ＲＡＷデータを出力する固体電子撮像装置を設け，
４色ＲＡＷデータ出力または疑似３色ＲＡＷデータ出力を設定可能とし，
４色ＲＡＷデータ出力が設定されたことに応じて，上記固体電子撮像装置から出力された４色ＲＡＷデータを出力し，
疑似３色ＲＡＷデータ出力が設定されたことに応じて，上記固体電子撮像装置から出力された４色ＲＡＷデータのうち第１の緑色成分のＲＡＷデータの分光特性と第２の緑色成分のＲＡＷデータの分光特性とが近づくように補正し，補正された４色ＲＡＷデータを出力する，
撮像装置の制御方法。
【発明の詳細な説明】
【技術分野】
【０００１】
この発明は，撮像装置およびその制御方法に関する。
【背景技術】
【０００２】
ディジタル・スチル・カメラなどにおいては，被写体を撮像することにより固体電子撮像装置から出力されるＲＡＷデータに対して補間処理，JPEG（joint photographic expert group）にもとづく圧縮などの所定の画像処理が行われた後にメモリ・カードなどの記録媒体に記録されるのが一般的である。ところが，固体電子撮像装置から出力されるＲＡＷデータを記録媒体に記録するモードをもつディジタル・スチル・カメラも現れてきた。ＲＡＷデータは圧縮などが行われていないので，ユーザの好みの色味などの画像を得ることができる。ＲＡＷデータは，ディジタル・スチル・カメラの出力端子から出力される。出力されたＲＡＷデータがパーソナル・コンピュータに与えられることより，格納される。また，ＲＡＷデータがディジタル・スチル・カメラに装填されているメモリ・カードに記録することもできる。そのメモリ・カードがパーソナル・コンピュータに装填され，読み取られることによりＲＡＷデータがパーソナル・コンピュータに格納される。ＲＡＷデータがパーソナル・コンピュータに格納されることにより，ＲＡＷデータの画像処理用プログラムを用いてユーザが自由に画像処理を行うことができる。
【０００３】
また，固体電子撮像素子の受光面上には赤色成分の光を透過するフィルタ，青色成分の光を透過するフィルタおよび緑色成分の光を透過するフィルタをもつ，いわゆる３色フィルタが形成されていることが多い。固体電子撮像素子の受光面上に３色フィルタが形成されている場合にはＲＡＷデータには，赤色成分，青色成分および緑色成分の３色をそれぞれ表すデータが含まれている。
【０００４】
ところが，３色フィルタではなく，赤色成分，青色成分ならびに第１の緑色成分および第１の緑色成分の分光特性と相関の高い分光特性を有する第２の緑色成分をそれぞれ透過する特性を有する，いわゆる４色カラー・フィルタが固体電子撮像素子の受光面上に設けられることがある（特許文献１参照）。
【特許文献１】特開2003−284084号公報
【０００５】
４色フィルタが設けられている固体電子撮像素子から出力される４色ＲＡＷデータには赤色成分，青色成分ならびに第１の緑色成分および第２の緑色成分をそれぞれ表すデータが含まれている。このように，３色フィルタが設けられている固体電子撮像素子から出力される３色ＲＡＷデータと４色フィルタが設けられている固体電子撮像素子から出力される４色ＲＡＷデータとでは含まれているデータの色成分が異なる。このため，ＲＡＷデータを用いてパーソナル・コンピュータにおいて画像処理を行う場合に，３色ＲＡＷデータの画像処理に適したプログラムを用いて４色ＲＡＷデータの画像処理を行うことは好ましくないことがある。
【発明の開示】
【０００６】
この発明は，４色フィルタが設けられている撮像装置から得られるＲＡＷデータの画像処理を３色ＲＡＷデータの画像処理に適したプログラムを用いることができるようにすることを目的とする。
【０００７】
この発明による撮像装置は，赤色成分，青色成分，第１の緑色成分および第２の緑色成分を透過する特性を有する４色のカラー・フィルタが受光面上に形成されている多数の光電変換素子を含み，被写体を撮像することにより赤色成分，青色成分，第２の緑色成分および第２の緑色成分の４色ＲＡＷデータを出力する固体電子撮像装置，４色ＲＡＷデータ出力または疑似３色ＲＡＷデータ出力を設定する設定手段，上記設定手段により疑似３色ＲＡＷデータ出力が設定されたことに応じて，上記固体電子撮像装置から出力された４色ＲＡＷデータのうち第１の緑色成分のＲＡＷデータの分光特性と第２の緑色成分のＲＡＷデータの分光特性とが近づくように補正する補正手段，ならびに上記設定手段により４色ＲＡＷデータ出力が設定されたことに応じて，上記固体電子撮像装置から出力された４色ＲＡＷデータを出力し，上記設定手段により疑似３色ＲＡＷデータが設定されたことに応じて，上記補正手段によって補正された４色ＲＡＷデータを出力する出力装置を備えていることを特徴とする。
【０００８】
この発明は，上記撮像装置に適した制御方法も提供している。すなわち，この方法は，赤色成分，青色成分，第１の緑色成分および第２の緑色成分を透過する特性を有する４色のカラー・フィルタが受光面上に形成されている多数の光電変換素子を含み，被写体を撮像することにより赤色成分，青色成分，第２の緑色成分および第２の緑色成分の４色ＲＡＷデータを出力する固体電子撮像装置を設け，４色ＲＡＷデータ出力または疑似３色ＲＡＷデータ出力を設定可能とし，４色ＲＡＷデータ出力が設定されたことに応じて，上記固体電子撮像装置から出力された４色ＲＡＷデータを出力し，疑似３色ＲＡＷデータ出力が設定されたことに応じて，上記固体電子撮像装置から出力された４色ＲＡＷデータのうち第１の緑色成分のＲＡＷデータの分光特性と第２の緑色成分のＲＡＷデータの分光特性とが近づくように補正し，補正された４色ＲＡＷデータを出力するものである。
【０００９】
この発明によると，固体電子撮像装置の光電変換素子の受光面上には赤色成分，青色成分，第１の緑色成分および第２の緑色成分を透過する特性を有する４色のカラー・フィルタが形成されている。固体電子撮像装置からは４色ＲＡＷデータが出力される。
【００１０】
４色ＲＡＷデータの出力または疑似３色ＲＡＷデータの出力の設定が可能であり，疑似３色ＲＡＷデータの出力が設定された場合には，固体電子撮像装置から出力された４色ＲＡＷデータのうち第１の緑色成分のＲＡＷデータの分光特性と第２の緑色成分のＲＡＷデータの分光特性とが近づくように補正が行われる。補正された４色ＲＡＷデータが出力される。補正された４色ＲＡＷデータ（疑似３色ＲＡＷデータ）は，３色ＲＡＷデータとして扱われる。３色ＲＡＷデータの画像処理プログラムを用いて画像処理が行われる。４色ＲＡＷデータは第１の緑色成分のＲＡＷデータの分光特性と第２の緑色成分の分光特性とが近づくように補正されているので，補正された４色ＲＡＷデータを３色ＲＡＷデータ用の画像処理プログラムを用いて画像処理が行われた場合であっても，画像処理された画像が破綻してしまうことを未然に防止できる。４色ＲＡＷデータの出力が設定されている場合には，補正されることなく，その４色ＲＡＷデータが出力する。
【００１１】
上記補正手段は，上記第１の緑色成分のＲＡＷデータの分光特性と上記第２のＲＡＷデータの分光特性とが一致するように補正するものでもよい。
【００１２】
上記出力装置は，たとえば，上記設定手段による設定に応じて，４色ＲＡＷデータまたは補正された４色ＲＡＷデータ（疑似３色ＲＡＷデータ）を記録媒体に記録する記録制御手段である。
【実施例】
【００１３】
この実施例によるディジタル・スチル・カメラは，詳しくは後述するように，ＲＧＢ補間処理が行われていないＣＣＤ−ＲＡＷデータ（ＲＡＷデータ）とＲＧＢ補間および圧縮処理が行われた画像データとをメモリ・カードに記録できる。とくに，この実施例においては，ＣＣＤには赤色成分の光を透過する特性を有するフィルタ，青色成分の光を透過する特性を有するフィルタならびに第１の緑色成分の光を透過する特性を有するフィルタおよび第２の緑色成分の光を透過する特性を有するフィルタのいわゆる４色フィルタが受光面上に形成されている。したがって，この実施例によるディジタル・スチル・カメラにおいては，赤色成分，青色成分ならびに第１の緑色成分および第２の緑色成分を含む４色のＣＣＤ−ＲＡＷデータが得られる。とくに，この実施例においては第１の緑色成分の分光特性と第２の緑色成分の分光特性とが近づくように（一致させてもよい）補正することができ，補正することにより，４色ＣＣＤ−ＲＡＷデータは疑似的な３色ＣＣＤ−ＲＡＷデータとなる。この疑似的な３色ＣＣＤ−ＲＡＷデータもメモリ・カードに記録できる。
【００１４】
ＣＣＤ−ＲＡＷデータは，パーソナル・コンピュータにおいて画像処理プログラムなどを用いて画像処理が行われる。この画像処理プログラムは，赤色成分，青色成分および緑色成分の３色ＣＣＤ−ＲＡＷデータに適したものが多い。このために，３色ＣＣＤ−ＲＡＷデータに適した画像処理プログラムを４色ＣＣＤ−ＲＡＷデータに利用すると，所望の画像処理が行われないことがある。この実施例においては，４色ＣＣＤ−ＲＡＷデータが補正された擬似的な３色ＣＣＤ−ＲＡＷデータが得られるので，３色ＣＣＤ−ＲＡＷデータに適した画像処理プログラムを用いても比較的所望の画像処理が行われるようになる。
【００１５】
図１（Ａ）は，この実施例においてＣＣＤ上に形成される４色フィルタの一例，（Ｂ）は，ベイヤ配列フィルタの一例である。
【００１６】
図１（Ｂ）を参照してベイヤ配列フィルタの場合には，ＣＣＤを構成する多数のフォトダイオード（区画40で示す領域が１画素に相当し，それぞれの区画40に対応してフォトダイオードが設けられている）上に赤色成分の光を透過する特性を有する赤色フィルタ（符号Ｒで示す），青色成分の光を透過する特性を有する青色フィルタ（符号Ｂで示す）または緑色成分の光を透過する特性を有する緑色フィルタ（符号Ｇで示す）が形成されている。奇数行奇数列のフォトダイオード上には赤色フィルタが形成され，偶数行偶数列のフォトダイオード上には青色フィルタが形成されている。赤色フィルタまたは青色フィルタが形成されていないフォトダイオード上には緑色フィルタが形成されている。
【００１７】
このようにＣＣＤの受光面上にベイヤ配列フィルタが形成されていると，赤色成分，青色成分または緑色成分のデータが順にシリアルに現れる３色ＣＣＤ−ＲＡＷデータが得られる。
【００１８】
これに対して，図１（Ａ）に示すように４色フィルタの場合には，赤色フィルタおよび青色フィルタの他に第１の緑色成分を透過する特性を有する第１の緑色フィルタ（符号Ｇ１で示す）および第２の緑色成分を透過する特性を有する第２の緑色フィルタ（符号Ｇ２で示す）がフォトダイオード上に形成されている。第１の緑色フィルタＧ１は，奇数行偶数列のフォトダイオード上に形成され，第２の緑色フィルタＧ２は，偶数行奇数列のフォトダイオード上に形成されている。
【００１９】
このようにＣＣＤの受光面上に４色フィルタが形成されていると，赤色成分，青色成分または第１の緑色成分もしくは第２の緑色成分のデータが順にシリアルに現れる４色ＣＣＤ−ＲＡＷデータが得られる。
【００２０】
図２は，４色フィルタの波長−分光感度特性を示すグラフである。
【００２１】
４色フィルタの赤色フィルタＲおよび青色フィルタは，ベイヤ配列フィルタの赤色フィルタおよび青色フィルタと同様に赤色成分および青色成分の光を透過する特性を有している。第１の緑色フィルタＧ１はベイヤ配列フィルタの緑色フィルタの分光感度と同じ特性を有している。また，第２の緑色フィルタＧ２の特性は第１の緑色フィルタの特性と相関が高く，第１の緑色フィルタを透過する光成分の波長よりも小さな波長の緑色成分の光を透過する特性を有している。
【００２２】
図３は，この発明の実施例によるディジタル・スチル・カメラの背面図である。
【００２３】
ディジタル・スチル・カメラの背面のほぼ全体に渡って表示画面29が形成されている。この表示画面29には被写体像，各種メニュー画像が表示される。
【００２４】
表示画面29の左上には光学ビューファインダ51が形成されている。また，表示画面29の右上にはワイド・ボタン52およびテレ・ボタン53が形成されている。さらに，表示画面29の右側にはメニュー・ボタン54，バック・ボタン55および上下左右ボタン56が形成されている。上下左右ボタン56は円環上のものであり上下左右に矢印が押下可能に形成されている。上下左右ボタン56の中心にはＯＫボタン57が形成されている。
【００２５】
図３においては，表示画面29にセットアップ・メニュー画像が表示されている。メニュー・ボタン54が押されることによりメニューが表示画面29に表示される。メニューの中からセットアップ・メニューが選択されることにより，表示画面29にセットアップ・メニュー画像が表示される。
【００２６】
セットアップ・メニュー画像には，日時設定，フォーマット，ビープ音，ＣＣＤ−ＲＡＷ出力などの各項目が規定されている。これらの項目のうちいずれか一つの項目の左側にカーソル58が上下左右ボタン56の上矢印または下矢印の押下に応じて上下移動自在に表示されている。これらの項目に対応して設定可能な内容が表示されている。
【００２７】
この実施例のディジタル・スチル・カメラに特に関連するＣＣＤ−ＲＡＷ出力の項目には，設定可能な内容として「オフ」，「４色」および「擬似３色」があり，これらの「オフ」，「４色」または「擬似３色」の文字が表示されている。「オフ」は，ＣＣＤ−ＲＡＷデータをメモリ・カードに記録するものではなく，圧縮された画像データをメモリ・カードに記録するときに設定される。「４色」は，４色ＣＣＤ−ＲＡＷデータをメモリ・カードに記録するときに設定される。「擬似３色」は，擬似的な３色ＣＣＤ−ＲＡＷデータ（補正された４色ＣＣＤ−ＲＡＷデータ）をメモリ・カードに記録するときに設定される。「オフ」，「４色」または「擬似３色」の文字が表示されている領域のうち一つの領域59が他の領域と比べて明るく点灯されている（図３においてはハッチングで示されている）。明るく点灯されている領域59に表示されている文字（この場合は「擬似３色」）によって特定される方法で出力されるデータがメモリ・カードに記録されることとなる。上下左右ボタン56の左矢印または右矢印の押下に応じて点灯する領域が変わり，ＯＫボタン57が押されたことにより選択された方法でデータが出力されるのはいうまでもない。
【００２８】
図４は，この発明の実施例を示すもので，ディジタル・スチル・カメラの電気的構成を示すブロック図である。
【００２９】
ディジタル・スチル・カメラの全体の動作は，ＣＰＵ15によって統括される。
【００３０】
ディジタル・スチル・カメラには，操作装置14が含まれている。この操作装置14には，シャッタ・レリーズ・ボタン，ワイド・ボタン52，テレ・ボタン53，メニュー・ボタン54，バック・ボタン55，上下左右ボタン56，ＯＫボタン57などが含まれている。操作装置14からの出力信号は，ＣＰＵ15に与えられる。
【００３１】
ディジタル・スチル・カメラは，ストロボ撮影が可能であり，そのためにＣＰＵ15によって発光制御されるストロボ発光装置12が含まれている。また，ストロボ発光装置12からの発光量を一定に保つために受光センサ13が設けられている。受光センサ13から出力される受光信号はＣＰＵ15に入力する。
【００３２】
ＣＣＤ６の受光面前方には，レンズ駆動回路９によってズーム位置が制御されるズーム・レンズ２，絞り駆動回路10により絞り値が制御される絞り３，赤外線カット・フィルタ４および光学ロウ・パス・フィルタ５が設けられている。これらのズーム・レンズ２，絞り３，赤外線カット・フィルタ４および光学的ロウ・パス・フィルタ５を介して被写体像を表す光線がＣＣＤ６に入射する。
【００３３】
上述したように，この実施例によるＣＣＤ６の受光面上には４色フィルタが形成されいる。撮像素子駆動回路11によってＣＣＤ６が駆動させられると，４色フィルタの色配列にしたがって赤色成分，青色成分または第１の緑色成分もしくは第２の緑色成分が画素ごとに交互に現れる点順次映像信号がＣＣＤ６から出力される。
【００３４】
ＣＣＤ６から出力された点順次映像信号は，アナログ信号処理回路７において白バランス調整などの所定のアナログ信号処理が行われる。アナログ信号処理回路７から出力された点順次映像信号は，アナログ／ディジタル変換回路８において点順次画像データに変換される。点順次画像データは，メモリ制御回路21の制御によりメイン・メモリ22に与えられ，一時的に記憶される。メイン・メモリ22に記憶された点順次画像データが読み取られ，表示制御回路28に与えられる。表示制御回路28によって点順次画像データによって表される被写体像が表示装置29の表示画面上に表示される。
【００３５】
シャッタ・レリーズ・ボタンの第１段階の押下があると，上述のようにして変換された点順次画像データは，積算回路25に与えられ，合焦量および露光量が算出される。算出された合焦量にもとづいて合焦するように，ズーム・レンズ２が制御され，かつ算出された露光量にもとづいて適正露光となるように，絞り３の絞り値およびシャッタ速度がそれぞれ決定される。
【００３６】
シャッタ・レリーズ・ボタンの第２段階の押下があると，メイン・メモリ22から読み取られた点順次画像データは，ディジタル信号処理回路23にも与えられる。
【００３７】
４色ＣＣＤ−ＲＡＷデータがメモリ・カード27に記録されるように設定されている場合には，ディジタル信号処理回路23においてオフセット補正が行われて，ディジタル信号処理回路23から出力される（４色ＣＣＤ−ＲＡＷデータ）。補正された４色ＣＣＤ−ＲＡＷデータ（疑似３色ＣＣＤ−ＲＡＷデータ）がメモリ・カード27に記録されるように設定されている場合には，ディジタル信号処理回路23においてオフセット補正および第１の緑色成分の分光特性と第２の緑色成分の分光特性とが近づくような補正処理が行われて，ディジタル信号処理回路23から出力される（補正された４色ＣＣＤ−ＲＡＷデータ：疑似的な３色ＣＣＤ−ＲＡＷデータ）。圧縮された画像データがメモリ・カード27に記録されるように設定されている場合には，ディジタル信号処理回路23において，ＲＧＢ補間処理，ガンマ補正，輝度データおよび色差データ生成処理その他の所定のディジタル信号処理が行われる。ディジタル信号処理回路23から出力された画像データは圧縮／伸張処理回路24において圧縮される。
【００３８】
ディジタル信号処理回路23から出力された４色ＣＣＤ−ＲＡＷデータもしくは擬似的な３色ＣＣＤ−ＲＡＷデータまたは圧縮／伸張処理回路24から出力された圧縮画像データはメモリ制御回路26によってメモリ・カード27に記録されることとなる。
【００３９】
メモリ・カード27がディジタル・スチル・カメラから取り外され，パーソナル・コンピュータに装填されることにより，メモリ・カード27に記録されている４色ＣＣＤ−ＲＡＷデータ，擬似的な３色ＣＣＤ−ＲＡＷデータまたは圧縮画像データをパーソナル・コンピュータに格納することができる（ディジタル・スチル・カメラに出力端子が設けられている場合には，その出力端子からデータを出力させることもできる）。パーソナル・コンピュータにおいてこれらのデータについて所望の画像処理を行うことができる。擬似的な３色ＣＣＤ−ＲＡＷデータを得ることができるので，４色ＣＣＤ−ＲＡＷデータ用の画像処理プログラムがパーソナル・コンピュータにインストールされていない場合であっても，３色ＣＣＤ−ＲＡＷデータ用の画像処理プログラムを用いて擬似的な３色ＣＣＤ−ＲＡＷデータの画像処理を行うことができるようになる。もちろん，４色ＣＣＤ−ＲＡＷデータ用の画像処理プログラムがパーソナル・コンピュータにインストールされている場合には，メモリ・カード27に４色ＣＣＤ−ＲＡＷデータを記録することにより，パーソナル・コンピュータにおいて４色ＣＣＤ−ＲＡＷデータ用の画像処理プログラムを利用して画像処理を行うことができるようになる。
【００４０】
ディジタル・スチル・カメラは再生機能も有しているが，ここでは説明を省略する。
【００４１】
図５は，ディジタル信号処理回路23の電気的構成を示すブロック図である。
【００４２】
ディジタル信号処理回路23に入力した点順次画像データはオフセット補正回路31においてオフセット補正が行われる。オフセット補正が行われた点順次画像データが４色ＣＣＤ−ＲＡＷデータとしてディジタル信号処理回路23から出力される。
【００４３】
オフセット補正回路31から出力された点順次画像データ（４色ＣＣＤ−ＲＡＷデータ）は，リニア・マトリクス回路32において４色ＣＣＤ−ＲＡＷデータに含まれる第１の緑色成分のデータの分光特性と第２の緑色成分のデータの分光特性とが一致はしないが（後述のように一致させてもよい）近づくように補正が行われる。
【００４４】
リニア・マトリクス回路32に設定されているマトリクス係数の一例が図６に示されている。図６においては，リニア・マトリクス回路32に入力する４色ＣＣＤ−ＲＡＷデータに含まれる赤色成分のデータが符号Ｒ０で，第１の緑色成分のデータが符号Ｇ01で，第２の緑色成分のデータが符号Ｇ02で，青色成分のデータが符号Ｂ０で示されている。また，リニア・マトリクス回路32から出力される補正された４色ＣＣＤ−ＲＡＷデータに含まれる赤色成分のデータが符号Ｒ１で，第１の緑色成分のデータが符号Ｇ11で，第２の緑色成分のデータが符号Ｇ12で，青色成分のデータが符号Ｂ１で示されている。
【００４５】
図６に示されるマトリクス係数を用いて４色ＣＣＤ−ＲＡＷデータが補正されることにより，擬似的な３色ＣＣＤ−ＲＡＷデータが得られる。得られた疑似的な３色ＣＣＤ−ＲＡＷデータが補正された４色ＣＣＤ−ＲＡＷデータとしてディジタル信号処理回路23から出力される。
【００４６】
リニア・マトリクス回路32から出力される疑似３色ＣＣＤ−ＲＡＷデータは，ゲイン補正回路53においてゲイン補正が行われ，ガンマ補正回路34に入力する。ガンマ補正された疑似３色ＣＣＤ−ＲＡＷデータがＲＧＢ補間回路35に入力する。
【００４７】
ＲＧＢ補間回路35において，疑似３色ＣＣＤ−ＲＡＷデータについてＲＧＢ補間処理が行われる。このＲＧＢ補間処理において，赤色成分，青色成分ならびに第１の緑色成分および第２の緑色成分の補正されたデータが４色フィルタに応じた順序で現れるシリアルな疑似３色ＣＣＤ−ＲＡＷデータが赤色成分，青色成分および緑色成分のパラレルなデータに変換される。ＲＧＢ補間回路35における補間処理においては第１の緑色成分と第２の緑色成分とは同じものとして扱われる。赤色成分，青色成分および緑色成分のパラレルなデータがＲＧＢ／ＹＣ変換回路36において輝度データＹおよび色差データＣに変換される。変換された輝度データＹおよび色差データＣはノイズ低減回路37に与えられ，ノイズ低減処理が行われる。ノイズ低減回路37から出力された輝度データＹが輪郭補正回路38に与えられ，輪郭補正が行われる。また，ノイズ低減回路37から出力された色差データＣマトリクス回路39において色補正が行われる。輪郭補正された輝度データＹおよび色補正が行われた色差データＣが上述したように，ディジタル信号処理回路23から出力され，圧縮／伸張処理回路24に与えられることにより圧縮処理が行われる。
【００４８】
上述した処理においては，ディジタル信号処理回路23に含まれるリニア・マトリクス回路32のマトリクス係数は，第１の緑色成分の分光特性と第２の緑色成分の分光特性とを近づけるように補正するものではあったが一致させるものではなかった。このためにディジタル信号処理回路23から出力される擬似的な３色ＣＣＤ−ＲＡＷデータは第１の緑色成分と第２の緑色成分とを区別してパーソナル・コンピュータにおいて扱うこともできる。したがって，得られる画像の色ぼけを未然に防止できるようになる（高い色解像度をもつ画像を得られる）。
【００４９】
図７は，ディジタル信号処理回路23に含まれるリニア・マトリクス回路32のマトリクス係数の一例である。
【００５０】
図７においても，リニア・マトリクス回路32に入力する４色ＣＣＤ−ＲＡＷデータに含まれる赤色成分のデータが符号Ｒ０で，第１の緑色成分のデータが符号Ｇ01で，第２の緑色成分のデータが符号Ｇ02で，青色成分のデータが符号Ｂ０で示されている。また，リニア・マトリクス回路32から出力される補正された４色ＣＣＤ−ＲＡＷデータに含まれる赤色成分のデータが符号Ｒ２で，第１の緑色成分のデータが符号Ｇ11で，第２の緑色成分のデータが符号Ｇ12で，青色成分のデータが符号Ｂ１で示されている。
【００５１】
図６に示すマトリクス係数においては，上述したように，第１の緑色成分の分光特性と第２の緑色成分の分光特性とを近づけるように補正するものではあるが一致させるものではない。これに対して，図７に示すマトリクス係数においては，第１の緑色成分の分光特性と第２の緑色成分の分光特性とを一致させるものである。第１の緑色成分の分光特性と第２の緑色成分の分光特性とを一致させることができるので，疑似３色ＣＣＤ−ＲＡＷデータの偽信号の発生を未然に防止できる。
【００５２】
図８は，ディジタル・スチル・カメラの記録時の処理手順を示すフローチャートである。
【００５３】
上述したように，セットアップ・メニュー画像においてＣＣＤ−ＲＡＷ出力がオンに設定されているかどうかが確認される（ステップ61）。ＣＣＤ−ＲＡＷ出力が「４色」または「擬似３色」に設定されているとＣＣＤ−ＲＡＷ出力がオンに設定されているとされ（ステップ61でＹＥＳ），ＣＣＤ−ＲＡＷ出力が「４色」に設定されているかどうかが確認される（ステップ62）。
【００５４】
ＣＣＤ−ＲＡＷ出力が「４色」に設定されていない場合には（ステップ62でＮＯ），「擬似３色」が設定されていることとなる。このために，上述したオフセット補正が行われ（ステップ63），かつリニア・マトリクス回路による補正が行われる（ステップ64）。リニア・マトリクスによる補正が行われることにより，上述したように第１の緑色成分の分光特性と第２の緑色成分の分光特性とが近づくこととなる。擬似的な３色ＣＣＤ−ＲＡＷデータが得られるようになる。このようにして得られた擬似的な３色ＣＣＤ−ＲＡＷデータがメモリ・カードに記録される（ステップ65）。
【００５５】
ＣＣＤ−ＲＡＷ出力が「４色」に設定されている場合には（ステップ62でＹＥＳ），「上述したオフセット補正が行われるが（ステップ66），リニア・マトリクスによる補正は行われない。得られた４色ＣＣＤ−ＲＡＷデータがメモリ・カードに記録される（ステップ65）。
【００５６】
ＣＣＤ−ＲＡＷ出力がオンに設定されていない場合には（ステップ61でＮＯ），上述したように，オフセット補正，リニア・マトリクス回路による補正，ゲイン補正，ガンマ補正，ＲＧＢ補間，ＲＧＢ／ＹＣ変換，ノイズ低減ならびに輪郭補正／色差マトリクスによる色補正が行われる（ステップ67〜74）。このようにして補正された画像データが圧縮されて（ステップ75），メモリ・カードに記録されることとなる（ステップ65）。
【図面の簡単な説明】
【００５７】
【図１】（Ａ）は，４色フィルタの一例を示し，（Ｂ）は，ベイヤ配列フィルタの一例を示す。
【図２】４色フィルタの分光感度−波長特性である。
【図３】ディジタル・スチル・カメラの背面図である。
【図４】ディジタル・スチル・カメラの電気的構成を示すブロック図である。
【図５】ディジタル信号処理回路の電気的構成を示すブロック図である。
【図６】マトリクス係数の一例である。
【図７】マトリクス係数の一例である。
【図８】ディジタル・スチル・カメラの記録時の処理手順を示すフローチャートである。
【符号の説明】
【００５８】
１  ディジタル・スチル・カメラ
６  ＣＣＤ
15  ＣＰＵ
23  ディジタル信号処理回路
26  メモリ制御回路（記録制御手段）
27  メモリ・カード（記録媒体）
32  リニア・マトリクス回路（補正手段）
【図１】
2005354329.tif 000003
【図２】
2005354329.tif 000004
【図３】
2005354329.tif 000005
【図４】
2005354329.tif 000006
【図５】
2005354329.tif 000007
【図６】
2005354329.tif 000008
【図７】
2005354329.tif 000009
【図８】
2005354329.tif 000010